(57)【特許請求の範囲】
【請求項１】
ＰＣＡ、ＰＭＡ、リ−ドイン領域、プログラム領域、リ−ドアウト領域を順次配置したＣＤ−Ｒのパケットライティング記録方式に準拠して情報を順次追記可能な光情報記録媒体であって、
前記ＰＣＡと前記ＰＭＡとを配置した第１領域と、
前記リ−ドイン領域と前記プログラム領域と前記リ−ドアウト領域とを配置した第２領域とを具備し，
前記プログラム領域は、少なくとも１のトラックから構成され、
前記トラックは、少なくとも１のパケットから構成され、
前記各パケットは、少なくともユ−ザデ−タブロック、アドレスブロック、ダミ−ブロックを備えており、
前記リ−ドイン領域には、少なくとも前記トラック数、前記トラックの開始時間、リ−ドアウト開始時間に関する情報が、全ての追記に先立って予め記録されており、
今回の追記終了時には、最終パケット内のアドレスブロックのみに追記終了情報を記録し、かつ前回の追記終了時に最終パケットとなったパケット内のアドレスブロックに記録してある追記終了情報を読出し不能とし、
次回の追記開始時には、追記終了情報の読出しが可能なアドレスブロックを有するパケットを最終パケットと判定して、当該最終パケットの直後のパケットから追記することを特徴とする光情報記録媒体。
【請求項２】
請求項1記載の光情報記録媒体であって、
第１番目のパケットのアドレスブロックは、第２番目のパケット以降の追記可能なパケット数分のブロック数を備えていることを特徴とする光情報記録媒体。
【請求項３】
請求項１又は請求項２記載の光情報記録媒体であって、
今回の追記終了時には、前回の追記終了時に最終パケットと対応するアドレスブロックに記録してある追記終了情報を、特定の信号でオーバーライトすることにより、前記追記終了情報を読出し不能としたことを特徴とする光情報記録媒体。
【請求項４】
請求項１乃至請求項３のいずれか１に記載の光情報記録媒体であって、
ダミーブロックに記録する情報は、
最終パケット内のアドレスブロックの読取り後の所定期間に亘って、再生装置側のトラッキングサーボ動作が継続可能となる情報であることを特徴とする光情報記録媒体。
【発明の詳細な説明】
【０００１】
【発明の属する技術分野】
本発明は、追記型コンパクトディスク（以下「ＣＤ−Ｒ」と記す）のパケットライティング記録方式（以下「ＰＷ方式」と記す）を用いて情報を順次追記し、追記可能領域がまだ残っている追記途中状態でも、先頭記録済パケットから最終記録済パケットに亘る全ての追記情報を、再生専用コンパクトディスク（以下「ＣＤ−ＲＯＭ」と記す）を再生するためのＣＤ−ＲＯＭドライブで読出し可能な構造の光情報記録媒体に関する。
【０００２】
【従来の技術】
追記型記録媒体であるＣＤ−Ｒは、記録後のディスクがＣＤ−ＲＯＭと同等に扱えること、一旦記録した領域は記録デ−タの改竄が不可能なため、近年普及が加速している。
【０００３】
このＣＤ−Ｒの記録方法は、４種類あり、ＤＡＯ（Ｄｉｓｃ  Ａｔ  Ｏｎｃｅ）、ＳＡＯ（Ｓｅｓｓｉｏｎ  Ａｔ  Ｏｎｃｅ）、ＴＡＯ（Ｔｒａｃｋ  Ａｔ  Ｏｎｃｅ）、ＰＷ（Ｐａｃｋｅｔ  Ｗｒｉｔｉｎｇ）である。
【０００４】
図８はＤＡＯ方式の記録フォ−マットを示す図、図９はＳＡＯ方式の記録フォ−マットを示す図、図１０はＴＡＯ方式の記録フォ−マットを示す図、図１１はＰＷ方式の記録フォ−マットを示す図、図１２はＰＷ方式に用いるパケットの記録フォ−マットを示す図、図１３はＰＷ方式のファイナライズ処理前の追記途中の状態を説明するための図、図１４は図１３に示す追記途中状態のＣＤ−Ｒから追記情報をＣＤ−ＲＯＭドライブで読出すことができないことを説明するための図である。各図において、共通の番号および名称はＣＤ−Ｒのフォ−マットにおいて、公知の基本的構成要素であることを示す。
【０００５】
前記したＤＡＯ（ディスク  アット  ワンス）方式は、図８に示すように、ＣＤ−Ｒの一番基本的な記録方式であり、再生専用ＣＤディスク（ＣＤ−ＤＡ、ＣＤ−ＲＯＭ）の記録フォ−マットとほぼ同等な記録フォ−マットの構造である。
【０００６】
ＣＤ−Ｒは、ＣＤ−Ｒ特有の領域Ａと、再生専用ＣＤディスクと共通の領域Ｂとより構成する。
前記した領域Ａは、▲１▼ＰＣＡ(パワー  キャリブレーション  エリア)領域と、▲２▼ＰＭＡ(プログラム  メモリ  エリア)領域とよりなる。
▲１▼ＰＣＡ領域は、ＣＤ−Ｒの最適記録レ−ザ−パワ−を決める領域である。▲２▼ＰＭＡ領域は、▲３▼リ−ドイン領域にリ−ドイン情報を本書込みする前の、仮のリ−ドイン情報を追記するためのデ−タ記録領域である。
▲３▼リ−ドイン領域と▲５▼リ−ドアウト領域とを、▲４▼プログラム領域と同時に記録するＤＡＯ、ＳＡＯ方式では、▲２▼ＰＭＡ領域に仮のリ−ドイン情報を記録しなくとも良い。以下、領域Ａは、本発明と直接の関係がないため、詳細な説明は略す。
【０００７】
前記した領域Ｂは、▲３▼リ−ドイン領域と、▲４▼プログラム領域と、▲５▼リ−ドアウト領域とよりなり、通常セッションと呼ばれる。
▲３▼リ−ドイン領域は、▲３▼プログラム領域および▲４▼リ−ドアウト領域の各開始時間、▲４▼プログラム領域に記録するデ−タの種類等を記録する領域である。▲４▼プログラム領域は、通常複数のトラックよりなり、各トラックには記録すべきユ−ザ情報をそれぞれ記録する。▲５▼リ−ドアウト領域は、▲４▼プログラム領域の終了を表す情報を記録する。
【０００８】
ＤＡＯ方式の領域Ｂは、前記した再生専用ＣＤディスクの記録領域と同じ構造をしており、これによって、ＤＡＯ方式で記録したＣＤ−ＲはＣＤ−ＲＯＭドライブで読み出すことができる。
【０００９】
前記したＳＡＯ（セッション  アット  ワンス）方式は、前記したＤＡＯ方式を発展させたものであり、図９に示すように、▲３▼リ−ドインと、▲４▼プログラム領域と、▲５▼リ−ドアウト領域とを１セットとするセッション単位で、繰返し記録するための記録方式である。
【００１０】
図９に示す場合、セッション数は２であり、領域Ｂ'で示す。
図９の第１セッションは、▲３▼リ−ドイン領域と、▲４▼プログラム領域と、▲５▼リ−ドアウト領域とから構成されており、また、第２セッションは、▲３▼'リ−ドイン領域と、▲４▼'プログラム領域と、▲５▼'リ−ドアウト領域とから構成されている。
ＳＡＯ方式の場合、セッション単位で記録するため、記録後のＣＤ−Ｒは、マルチセッション対応のＣＤ−ＲＯＭドライブおよびＣＤ−Ｒドライブでのみ読取りが可能である。
【００１１】
前記したＴＡＯ（トラック  アット  ワンス）方式は、前記したＳＡＯ方式においてユ−ザデ−タとして使えない領域が多くあることに着目し、この不要な領域を減らす方法として、各セッション内をトラック単位に分割し、それぞれを追記可能にした方式である。
【００１２】
具体的には、ＴＡＯ方式は、前記したＳＡＯ方式がセッション単位で記録するためには、セッション間にリ−ドアウト領域とリ−ドイン領域とが必要であり、しかも、図９に示す場合には、▲５▼リ−ドアウト領域は９０秒、▲３▼'リ−ドイン領域は６０秒の記録が必要であり、こうしたユ−ザデ−タとして使えない領域を減らす方式である。その結果、▲４▼プログラム領域にユ−ザ情報をより多く記録できるメリットが生じる。
【００１３】
このＴＡＯ方式では、一般にセッション数を１つとし、セッション内を複数のトラックに分割し、トラック単位で追記する方法をとる。
具体的には、ＴＡＯ方式は、図１０に示すように、セッション数は１、トラック数は３であり、トラックは先頭より▲４▼−１トラック＃１、▲４▼−２トラック＃２、▲４▼−３トラック＃３である。追記はトラック＃１、トラック＃２、トラック＃３の順に、トラック単位で行う。
▲４▼−３トラック＃３の追記終了後、ファイナライズ処理と呼ばれる、▲３▼リ−ドイン領域および▲５▼リ−ドアウト領域にリードイン情報およびリードアウト情報を記録することが行われる。このファイナライズ処理の結果、ＴＡＯ方式で追記したＣＤ−ＲはＣＤ−ＲＯＭドライブで読み出すことができる。
【００１４】
さて、前記したＰＷ方式は、図１１に示すように、前記したＴＡＯ方式より、さらに細かく分割して記録する方式であり、▲４▼プログラム領域のトラック数を１とし、そのトラックをパケットと呼ぶ単位に分割して記録する方法である。このパケットという小さな単位で情報を追記録できるため、フロッピ−ディスク（ＦＤ）にファイルを記録するような感覚で、沢山のファイルをＣＤ−Ｒに記録できることが特徴である。ここでは詳述しないが、▲４▼プログラム領域のトラック数は２以上の複数であっても良い。
【００１５】
図１１の例では、▲４▼プログラム領域が１個の▲４▼−１トラック＃１よりなり、またこのトラック＃１は、３個のパケット（▲４▼−１−１パケット＃１、▲４▼−１−２パケット＃２、▲４▼−１−３パケット＃３）よりなる。
【００１６】
このＰＷ方式の各パケットは、図１２に示すように、記録するユ−ザデ−タブロック（例えば３２ブロック）の前後に、所定のブロックを付ける構造であり、その前にはリンクブロック（１ブロック）、ランインブロック（４ブロック）が配列され、またその後にはランアウトブロック（２ブロック）が配列されている。ここで、１ブロックは２ＫＢであり、これはＣＤ−ＲＯＭディスクのセクタ構造に対応している(即ち１ブロックのデータ量＝１セクタの記録容量＝２ＫＢ(２０４８バイト) )。
【００１７】
パケット先頭のリンクブロック（１ブロック）は、先行（直前）のパケットのランアウトブロックと切れ目なく重畳接続(重ね合わせて接続)するためのブロックであり、これに続くランインブロック（４ブロック）は、記録後のユーザデータブロックのデータ読出し時、この読出しの助走期間として用いられる。また、ランアウトブロック（２ブロック）は、後続（直後）のパケットのリンクブロックが切れ目なく重畳接続するための、ユ−ザデ−タブロックの保護領域である。
【００１８】
このＰＷ方式では、図１１に示すように、３個のパケット（パケット＃１〜パケット＃３）を全て記録した後に、ファイナライズ処理により、▲３▼リ−ドイン領域と、▲５▼リ−ドアウト領域とにそれぞれリードイン情報とリードアウト情報とが記録される。これによって、ファイナライズ処理後のＰＷ方式で追記したＣＤ−ＲはＣＤ−ＲＯＭドライブで読み出すことができる。
【００１９】
ところで、図１３は図１１に示したＰＷ方式において、ファイナライズ処理前に、２回の追記が終了したが最後のバケットは未記録状態であることを示している。即ち、ファイナライズ処理前では、▲４▼−１−１パケット＃１と、▲４▼−１−２パケット＃２とが記録されているが、▲３▼リ−ドイン領域と、▲４▼−１−３パケット＃３と、▲５▼リ−ドアウト領域とは全て未記録である。このような状態では、▲４▼−１−３パケット＃３の記録と、▲３▼リ−ドイン領域および▲５▼リ−ドアウト領域にリードイン情報およびリードアウト情報を記録するファイナライズ処理をしない限り、ＰＷ方式で記録したファイナライズ前のＣＤ−Ｒの追記済の情報はＣＤ−ＲＯＭドライブで読み出すことができないことは言うまでもない。
【００２０】
【発明が解決しようとする課題】
一般的なＣＤ−ＲＯＭドライブで読取り可能なディスクとしては、図８に示した領域Ｂの構成をもつ方式で記録したＣＤ−Ｒであることが必要である。この場合、ＣＤ−Ｒ特有の領域ＡはＣＤ−ＲＯＭドライブに読取る機能がないため不要な領域である。
【００２１】
図１４は、図１３に示すＰＷ方式におけるファイナライズ処理前のＣＤ−Ｒから、追記済の情報をＣＤ−ＲＯＭドライブで読み出すことができない、下記する［課題１］、［課題２］を図示化したものである。
【００２２】
［課題１］
課題１は、リ−ドイン情報が読み出せないために、ＣＤ−ＲＯＭドライブはＣＤ−Ｒから追記済の情報の読出しが開始できないことである。
即ち、ＣＤ−ＲＯＭドライブの読取りにおいて、最初の読取り動作はディスク情報の概略を記録している▲３▼リ−ドイン領域のリードイン情報の一つであるデ−タ（ＴＯＣ（テーブル  オブ  コンテンツ）情報）を読み込むことである。しかし、図１３のようなファイナライズ処理前のＣＤ−Ｒでは、▲３▼リ−ドイン領域からリ−ドイン情報が読み出せないために、ＴＯＣ情報の読取り不良となり、この結果、読取り動作が停止してしまうことである。
【００２３】
［課題２］
課題２は、追記済の最終記録済パケットの直後にある未記録パケット内に光ピックアップから出射する光ビームが進入すると、この未記録パケット内にはトラッキングサーボ信号およびＣＬＶ（線速度一定）サーボ信号を生成するための情報が記録されていないので、ＣＤ−ＲＯＭドライブはこれらのサーボ信号を生成できないから、この未記録パケット内において各サ−ボが破綻してしまい、ＣＤ−Ｒの回転は暴走してしまうことである。
即ち、ファイナライズ処理前のＰＷ方式で記録しているＣＤ−ＲをＣＤ−ＲＯＭドライブで再生すると、追記の最終記録済パケット（▲４▼−１−２パケット＃２）を特定できず、読取りサ−ボが破綻することである。
【００２４】
つまり、ファイナライズ処理前のＰＷ方式で追記したＣＤ−Ｒからの追記情報の読出しは、ＣＤ−Ｒ記録機なら可能だが、ＣＤ−ＲＯＭドライブでは不可能なものとなるのである。
【００２５】
ここで、図１３に示すファイナライズ処理前の最終記録済パケットを読む場合、ＣＤ−ＲＯＭドライブとＣＤ−Ｒ記録機でどのようなことが発生するかを述べる。
ＣＤ−Ｒ記録機には、ディスク領域（領域Ｂ。図１１に図示）の記録/未記録にかかわらず、トラッキングおよびＣＬＶサ−ボ信号を得ることができる機能がある。つまり、領域Ｂの未記録領域（▲４▼−１−３パケット＃３）に光ピックアップから出射する光ビームが突入しても、ＣＤ−Ｒに事前記録してある連続溝のＡＴＩＰ(アブソリュート  タイム  イン  プリグルーブ)信号により、トラッキングサ−ボ信号およびＣＬＶサ−ボ信号が途切れないため、読取りシ−ケンスの破綻はない。このため、最終記録済パケットの記録信号を確認後、そこから次のパケットライティングができる。
【００２６】
一方、ＣＤ−ＲＯＭドライブでは、▲４▼−１−２パケット＃２の読込みが終了したとき、直後のパケットに記録済のパケットが存在するか否かの情報は得られず、実際に光ピックアップから出射する光ビームが未記録領域（パケット記録可能領域：▲４▼−１−３パケット＃３）に入り、トラッキングサ−ボが破綻して、はじめて、そこが未記録領域と判断するしかないのである。
【００２７】
ＣＤ−ＲＯＭドライブは、この未記録領域に突入すると、トラッキング、ＣＬＶサ−ボが破綻し、場合によると、ＣＤ−ＲＯＭドライブを制御するパソコンがハングアップすることもあった。
【００２８】
そこで本発明は、上述した問題に鑑みて創案されたものであり、ＣＤ−ＲのＰＷ方式を用いて情報を順次追記し、追記可能領域がまだ残っている追記途中状態でも、先頭記録済パケットから最終記録済パケットに亘る全ての追記情報を、ＣＤ−ＲＯＭドライブで読出し可能なデータ構造の光情報記録媒体を提供することを目的とする。
【００２９】
【課題を解決するための手段】
上述した課題を解決するために、本発明は、下記（１）〜（４）の構成を有する光情報記録媒体を提供する。
（１）  図１〜図５、図１１に示すように、ＰＣＡ（▲１▼ＰＣＡ領域）、ＰＭＡ（▲２▼ＰＭＡ領域）、リ−ドイン領域（▲３▼リ−ドイン領域）、プログラム領域（▲４▼プログラム領域）、リ−ドアウト領域（▲５▼リ−ドアウト領域）を順次配置したＣＤ−Ｒのパケットライティング記録方式（ＰＷ方式）に準拠して情報を順次追記可能な光情報記録媒体であって、
前記ＰＣＡと前記ＰＭＡとを配置した第１領域（領域Ａ）と、
前記リ−ドイン領域と前記プログラム領域と前記リ−ドアウト領域とを配置した第２領域（領域Ｂ）とを具備し，
前記プログラム領域は、少なくとも１のトラック（トラック＃１）から構成され、
前記トラック（トラック＃１）は、少なくとも１のパケット（パケット＃１、パケット＃２、パケット＃３）から構成され、
前記各パケットは、少なくともユ−ザデ−タブロック、アドレスブロック、ダミ−ブロックを備えており、
前記リ−ドイン領域には、少なくとも前記トラック数、前記トラックの開始時間、リ−ドアウト開始時間に関する情報が、全ての追記に先立って予め記録されており、
今回の追記終了時（第２回追記時）には、最終パケット（パケット＃２）内のアドレスブロックのみに追記終了情報（○記号）を記録し、かつ前回の追記終了時（第１回追記時）に最終パケットとなったパケット（パケット＃１）内のアドレスブロックに記録してある追記終了情報（○記号）を読出し不能（×記号）とし、
次回の追記（第３回追記）開始時には、追記終了情報の読出しが可能なアドレスブロックを有するパケットを最終パケット（パケット＃２）と判定して、当該最終パケット（パケット＃２）の直後のパケット（パケット＃３）から追記することを特徴とする光情報記録媒体。
（２）  請求項1記載の光情報記録媒体であって、
第１番目のパケットのアドレスブロックは、第２番目のパケット以降の追記可能なパケット数分のブロック数を備えていることを特徴とする光情報記録媒体。（３）  請求項１又は請求項２記載の光情報記録媒体であって、
今回の追記終了時には、前回の追記終了時に最終パケットと対応するアドレスブロックに記録してある追記終了情報を、特定の信号でオーバーライトすることにより、前記追記終了情報を読出し不能としたことを特徴とする光情報記録媒体。
（４）  請求項１乃至請求項３のいずれか１に記載の光情報記録媒体であって、
ダミーブロックに記録する情報は、
最終パケット内のアドレスブロックの読取り後の所定期間に亘って、再生装置側のトラッキングサーボ動作が継続可能となる情報であることを特徴とする光情報記録媒体。
【００３０】
【発明の実施の態様】
以下、本発明の実施の態様につきその好ましい実施例(実施例１〜実施例５)について、図１〜図７、図１５〜図２２を用いて、順に説明する。
図１は本発明の実施例１の対応図であり、かつ図１４に示した追記途中状態では追記済情報を読み出すことができなかった光情報記媒体をＣＤ−ＲＯＭドライバで読取り可能とする解決法を説明するための図、図２は本発明の実施例１によるパケットの新たな記録フォ−マットを示す図、図３は図２の記録フォ−マットを用いてパケット♯１を追記する第１回追記時のパケット♯１のアドレスブロックの記録状態を説明するための図、図４は図２の記録フォ−マットを用いてパケット♯２を追記する第２回追記時のパケット♯１，パケット♯２の各アドレスブロックの記録状態を説明するための図、図５は図２の記録フォ−マットを用いてパケット♯３を追記する第３回追記時のパケット♯１〜パケット♯３までの各アドレスブロックの記録状態を説明するための図、図６は本発明の実施例２の対応図であり、かつパケット♯１におけるアドレスブロックトータルを備えたパケットの記録フォーマットを説明するための図、図７は本発明の実施例２の対応図であり、かつパケット♯１を除く全てのパケット♯２〜パケット♯１０１にアドレスブロックを備えていないパケットの記録フォーマットを説明するための図、図１５，図１６はそれぞれ本発明の実施例３の対応図であり、かつオーバーライト前、オーバーライト後のアドレスブロックのデータ構造を説明するための図、図１７，図１８，図１９はそれぞれ本発明の実施例４の対応図であり、かつ新たな記録フォーマットのデータ構造（１）〜（３）を説明するための図、図２０，図２１，図２２はそれぞれ本発明の実施例５の対応図であり、かつ光情報記録媒体の構造例（１）〜（３）を説明するための図である。前述したものと同一構成部分には同一符号を付しその説明を省略する。
【００３１】
[実施例１]
本発明の実施例１は、図１に示すように、図１４に示した［課題１］と［課題２］とを解決するための、下記する［解決法１］と［解決法２］とを備えているものである。即ち、
【００３２】
［解決法１］は、ＰＷ方式を用いた追記開始までに、▲３▼リ−ドイン領域にリ−ドイン情報を予め記録しておくことである。一方、▲５▼リ−ドアウト領域にはリ−ドアウト情報を必要に応じて予め記録しておく。
【００３３】
［解決法２］は、未記録領域（▲４▼−１−３パケット＃３）内に、光ピックアップから出射する光ビームの進入を防止する為に、パケットの記録フォ−マット（図２）を新たに定めたことである。
なお、図１では説明を容易にするために、図１３と同一のトラック数、同一のパケット数で示してあるが、本発明はこのトラック数、パケット数に限定されないものであることは言うまでもない。
【００３４】
まず、［解決法１］について述べる。
ここでは、▲３▼リ−ドイン領域へのリ−ドイン情報を記録した場合についてだけ述べる。▲３▼リ−ドイン領域に記録するリ−ドイン情報は、トラック数、トラック開始時間、リ−ドアウト開始時間、および、トラックの種類（オ−ディオ、デ−タ）等である。
図１に示す実施例１では、トラック数は１、トラックの種類はデ−タである。
【００３５】
このように、リ−ドイン情報として、パケット数、パケットサイズの記録は直接的には不要であるが、１トラックに記録するプログラム領域の大きさは、およそ記録パケットサイズの総和であり、リードアウト開始時間とは、密接な関係である。
このため、記録パケットサイズの総和または記録媒体の最大記録容量からリードアウト開始時間を予め設定できる。
【００３６】
こうして、［解決法１］を用いることによって、▲３▼リ−ドイン領域および▲５▼リ−ドアウト領域にそれぞれリードイン情報およびリードアウト情報を、ＰＷ方式による追記開始までに予め記録しておくことによって、前記した［課題１］をクリアできる。
【００３７】
次に、［解決法２］について述べる。
解決法２は、未記録領域（▲４▼−１−３パケット＃３）に光ピックアップから出射する光ビームが突入しないようにするために、最終記録済パケットを判別可能とする、バケットの新たな記録フォ−マット（図２）を定めたことである。このパケットの新たな記録フォ−マットは、図２に示すように、各パケットの先頭からリンクブロック、ランインブロック１〜４、ユ−ザデ−タブロック、アドレスブロック、ダミ−ブロック、ランアウトブロック１，２が順次配置されている。また、このパケットの新たな記録フォ−マットはＣＤ−ＲＯＭのセクタフォ−マットに適合している。
【００３８】
図２の例では、リンクブロックは１ブロック、ランインブロック１〜４は計４ブロック、ユ−ザデ−タブロックは３２ブロック、アドレスブロックは１ブロック、ダミ−ブロックは１０ブロック、ランアウトブロック１，２は２ブロックである。
【００３９】
図２に示す記録フォ−マットは、図１２に示した記録フォ−マット中のユ−ザデ−タブロックとランアウトブロック１，２との間に、アドレスブロックとダミ−ブロックとを挿入したものに等しいものである。
【００４０】
さて、このアドレスブロックは、当該パケットが最終記録済パケットか否かの判定に使うものである。またダミ−ブロックは、当該パケットが最終記録済パケットである場合に当該パケット直後にある未記録状態のパケット内に光ピックアップから出射する光ビームを突入させないように、略リードアウト情報と同様な役割を持つものである。
【００４１】
まず、このアドレスブロックの機能について述べる。
図２のパケットの記録フォ−マットを用いて、先頭の▲４▼−１−１パケット♯１（以下「パケット♯１」と記す）のユーザデータブロックにユーザデータを追記する第１回追記時に、パケット♯１のアドレスブロックに対応する媒体側のセクタには、図３に示すように、ＣＤ−ＲＯＭのセクタフォ−マットで、ＣＤ−ＲＯＭドライブで読取りエラ−のないブロックあることを示す「読出し可のデータ（○）」を記録する。
【００４２】
また、このセクタには「読出し可のデータ（○）」の他に、パケット記録回数、パケット番号等、パケット記録に関する情報を記録することも可能である。
【００４３】
上記「読出し可のデータ（○）」の意味するところを、一般的なＣＤ−ＲＯＭのセクタフォーマット構造である「ＣＤ−ＲＯＭ  ｍｏｄｅ１」を用いた例で示す。
「ＣＤ−ＲＯＭ  ｍｏｄｅ１」のフォーマット構造は、各セクタ当り(各アドレスブロック当り)、ヘッダ領域とデータ領域とエラー訂正符号領域とよりなる。
【００４４】
ヘッダ領域は当該セクタのアドレス番号等の情報を記録する領域である。データ領域は２０４８バイトのユーザデータを記録する領域である。エラー訂正符号領域はＥＤＣ(Ｅｒｒｏｒ  Ｄｅｔｅｃｔｉｏｎ  Ｃｏｄｅ)とＥＣＣ(Ｅｒｒｏｒ  Ｃｏｒｒｅｃｔｉｏｎ  Ｃｏｄｅ)との各データを記録する領域である。このＥＤＣとＥＣＣとを用いて、データ領域に記録されているユーザデータのエラー検出とエラー訂正とを行う。
【００４５】
前記した「ＣＤ−ＲＯＭ  ｍｏｄｅ１」フォーマット構造で記録したアドレスブロック（１ブロック（＝１セクタ）、セクタ）からのユーザデータの読出しに、例えばＣＤ−ＲＯＭドライブの制御命令である“ＲＥＡＤ（１０）”（ＥＤＣ/ＥＣＣ訂正付き）を用いる。これにより、ユーザデータはＥＤＣ/ＥＣＣエラー訂正処理が施されて、エラー訂正能力以内のエラーデータであるときには、本来の正しい値(元の値のデータ)として読出すことができる。この結果、１セクタ内の全てのデータ(ユーザデータ)がエラー訂正による、本来の正しい値で読出しできる状態は「読出し可のデータ（○）」である。
【００４６】
次に、パケット♯１の次の▲４▼−１−２パケット♯２（以下「パケット♯２」と記す）のユーザデータブロックにユーザデータを追記する第２回追記時に、パケット♯１のアドレスブロックに対応する媒体側のセクタに記録されている「読出し可のデータ（○）」に対して、例えばＣＤ記録の信号であるＥＦＭ信号を所定サイズでオ−バ−ライトする。このオ−バ−ライトの結果、この「読出し可のデータ（○）」は、通常のセクタ構造と異なるものであり、これはＣＤ−ＲＯＭドライブで読取ることができないから、ＣＤ−ＲＯＭドライブで読取りエラーであることを示す「読出し不可のデータ（×）」を有している、即ち、記録済みとして書き換えられるものとなる（図４）。
【００４７】
上記「読出し不可のデータ（×）」の意味するところを、上記「読出し可のデータ（○）」と同様に、一般的なＣＤ−ＲＯＭのセクタフォーマット構造である「ＣＤ−ＲＯＭ  ｍｏｄｅ１」を用いた例で示す。
前記した「ＣＤ−ＲＯＭ  ｍｏｄｅ１」フォーマット構造で記録したアドレスブロック（１ブロック（＝１セクタ）、セクタ）に所定サイズのオーバーライトをすると、セクタ内のオーバーライトされた各データはこの所定サイズのデータに上書きされた状態となるから、この結果、各データのピット長(マーク長)が変化し(元のピット長(マーク長)よりも長くなり)、本来のピット長(マーク長)の持つ値と異なるものになる。
【００４８】
このようにオーバーライトされたセクタからユーザデータの読出しに、例えばＣＤ−ＲＯＭドライブの制御命令である“ＲＥＡＤ（１０）”（ＥＤＣ/ＥＣＣ訂正付き）を用いる。これにより、本来のピット長(マーク長)の持つ値とは異なるユーザデータはＥＤＣ/ＥＣＣエラー訂正処理を施すのであるが、エラー訂正能力以上のエラーデータであると、本来の正しい値(元の値のデータ)にすることができない。この結果、１セクタ内の全てのデータ(ユーザデータ) がエラー訂正による、本来の正しい値で読出しできない状態は「読出し不可のデータ（×）」である。
【００４９】
これに対して、パケット♯２のアドレスブロックに対応する媒体側のセクタには、第１回追記時のパケット＃１と同様に、図４に示すように、ＣＤ−ＲＯＭセクタフォ−マット(「ＣＤ−ＲＯＭ  ｍｏｄｅ１」フォーマット)で、ＣＤ−ＲＯＭドライブで読取りエラ−のないブロックあることを示す「読出し可のデータ（○）」を記録する。またこのセクタには「読出し可のデータ（○）」の他に、パケット記録回数、パケット番号等、パケット記録に関する情報を記録することも可能である。
【００５０】
この結果、ＣＤ−ＲＯＭドライブは、パケット♯１のアドレスブロックに対応する媒体側のセクタに記録されている「読出し不可のデータ（×）」は読取ることができないが、この直後のパケット♯２のアドレスブロックに対応する媒体側のセクタに記録されている「読出し可のデータ（○）」を読取ることができる。
【００５１】
よって、ＣＤ−ＲＯＭドライブは、「読出し不可のデータ（×）」から「読出し可のデータ（○）」の変化をＣＤ−ＲＯＭドライブの状態を表すセンスデータから検知し、パケット♯２が最終記録済パケットであることを判別することができる。
【００５２】
さらに、パケット♯２の次の▲４▼−１−２パケット♯３（以下「パケット♯３」と記す）のユーザデータブロックにユーザデータを追記する第３回追記時に、前記した第２回追記時にパケット♯１のアドレスブロックに対応する媒体側のセクタに記録されている「読出し可のデータ（○）」に対して行うのと同様に、パケット♯２のアドレスブロックに対応する媒体側のセクタに記録されている「読出し可のデータ（○）」に対して、例えばＣＤ記録の信号であるＥＦＭ信号を所定サイズでオ−バ−ライトする。
【００５３】
このオ−バ−ライトの結果、この「読出し可のデータ（○）」は、通常のセクタ構造と異なるものとなり、これはＣＤ−ＲＯＭドライブで読取ることができないから、ＣＤ−ＲＯＭドライブで読取りエラ−のあるブロックあることを示す「読出し不可のデータ（×）」として書き換えられるものとなる（図５）。
【００５４】
これに対して、パケット♯３のアドレスブロックに対応する媒体側のセクタには、図５に示すように、ＣＤ−ＲＯＭセクタフォ−マット(「ＣＤ−ＲＯＭ  ｍｏｄｅ１」フォーマット)で、ＣＤ−ＲＯＭドライブで読取りエラ−のないブロックあることを示す「読出し可のデータ（○）」を記録する。またこのセクタには「読出し可のデータ（○）」の他に、パケット記録回数、パケット番号等、パケット記録に関する情報を記録することも可能である。
【００５５】
この結果、ＣＤ−ＲＯＭドライブは、パケット♯２のアドレスブロックに対応する媒体側のセクタに記録されている「読出し不可のデータ（×）」は読取ることができないが、この直後のパケット♯３のアドレスブロックに対応する媒体側のセクタに記録されている「読出し可のデータ（○）」を読取ることができる。よってＣＤ−ＲＯＭドライブは、「読出し不可のデータ（×）」から「読出し可のデータ（○）」の変化を検知し、パケット♯３が最終記録済パケットであることを判別することができる。
【００５６】
こうしてＣＤ−ＲＯＭドライブでは、パケット♯１〜パケット♯３の各アドレスブロックに対応する媒体側のセクタに記録されている前記したデ−タを、先頭パケット♯１からパケット♯３まで順次読込み、このデータが「読出し不可のデータ（×）」から「読出し可のデータ（○）」の変化した時点における、読出し可のデータ（○）」に対応するパケットを最終記録済パケットと判定することができる。
【００５７】
ところで、前述したように、ＣＤ−ＲＯＭドライブがパケット♯１〜パケット♯３の各アドレスブロックに対応する媒体側のセクタに記録されている前記したデ−タを読込みむことによって、最終記録済パケットの検出はできるが、実際のＣＤ−ＲＯＭドライブでは、次の理由でこの手法では不都合な場合が発生することが分かった。即ち、ＣＤ−ＲＯＭドライブの光ピックアップから出射する光ビームはこの最終記録済パケット内の各種のデ−タを読取った後でも、しばらく媒体のトラッキングサーボおよびＣＬＶサ−ボをロックし続ける必要があり、そのために、およそ媒体１周程度のＥＦＭ信号の読出しが必要であることが判った。
【００５８】
このため、前述した本発明の実施例１によるパケットの記録フォ−マット（図２）では、アドレスブロックの後に、媒体１周程度のＥＦＭ信号の読出しを可能とする１０ブロックのダミ−ブロックを入れたところ、ＣＤ−ＲＯＭドライブはこのダミ−ブロックから読出したＥＦＭ信号に基づいて、トラッキングサーボ信号およびＣＬＶサ−ボ信号を生成することができるから、ＣＤ−ＲＯＭドライブは、最終記録済パケットの読出しを完了した後もサ−ボが破綻しないことが確認できた。
【００５９】
[実施例２]
図６は実施例２の先頭パケット＃１の記録フォ−マットであり、この記録フォーマットは図２の本発明の実施例１のユ−ザデ−タブロックを除き、アドレスブロックの大きさを１ブロックから１００ブロックに拡大したものであり、これをアドレスブロックト−タルと呼び、そのブロック数は記録可能パケット数としたものに等しい。
【００６０】
図７は実施例２のパケット＃２〜パケット＃１０１までにそれぞれ共通な記録フォ−マットであり、図６のアドレスブロックト−タルの代わりに、ユーザデータブロックを設けたものに等しい。
【００６１】
本発明の実施例２は、図６に示すように、実施例１で述べた各パケット毎に備えてあるアドレスブロックを、先頭のパケット＃１に全部集中する記録フォーマットである。その目的は、デ−タアクセスの高速化である。図６の場合、パケット＃２〜パケット＃１０１の全てのアドレスブロック(１００ブロック)を、先頭のパケット＃１に全部集中させて、ここにアドレスブロックトータル(１００ブロック)を形成するものである。
【００６２】
また、実施例２においては、先頭のパケット＃１のアドレスブロックトータルを構成する各アドレスブロックへのオーバーライトはそれぞれ前述した実施例1で説明した方法と同じ方法である。このため、パケット＃２〜パケット＃１０１には、図７に示すように、個別のアドレスブロックを備えていない。
【００６３】
前記したアドレスブロックトータルを形成する各アドレスブロックは、パケット＃１の記録時に、全て「読出し可のデータ（○）」の状態に記録される。
パケット＃２以降のパケットの記録時に、各パケットのアドレスブロックは実施例１と同様に、所定のサイズのＥＦＭ信号等でオーバーライトされ、「読出し不可のデータ（×）」の状態になる。
【００６４】
よってＣＤ−ＲＯＭドライブは、「読出し不可のデータ（×）」から「読出し可のデータ（○）」の変化を検知し、パケット♯２〜パケット＃１０１のどれが最終記録済パケットであることかを判別することは実施例１と同様である。
【００６５】
この結果、前述した実施例１のように全てのパケット＃２〜＃１０１のアドレスブロックに全てアクセスしなくとも、１つのパケット＃１のアドレスブロックトータルのみを一覧するだけで、全てのパケット＃２〜＃１０１のアドレスブロックの記録状態（記録済パケット、最終記録済パケット、未記録パケット）を認識することができる。これにより、実施例１のものに比較して、全てのアドレスブロックに対するアクセスの高速化を図ることができる。
【００６６】
図６の例では、アドレスブロックト−タルは、パケット数１００までのアドレスブロックを全て記録できることを示している。また、図６のアドレスブロック＃２〜＃４が「読出し不可のデータ（×）」であることは、パケット＃２から＃５までは記録済であり、残りパケット＃６〜パケット＃１０１は未記録であることを示している。
【００６７】
実施例２では、アドレスブロックト−タル内の各アドレスブロックの並び方に特徴がある。アドレスブロックト−タルの先頭アドレスブロックはパケット＃１０1のものであり、以下順番(降番順)に並び、最後尾が初めに追記するパケット＃２である。
【００６８】
この理由は、ＣＤ−ＲＯＭドライブにおいて、「読出し可のデータ（○）」の読出しは速いが、「読出し不可のデータ（×）」の読出しにはＣＤ−ＲＯＭドライブのデータ読出しのリトライ等の動作のため時間がかかり、これは「読出し可のデータ（○）」の読出し時間の１０倍以上の差を生じるためである。
【００６９】
本発明の実施例１によるパケットの記録フォ−マット（図２）のように、先頭パケット♯１から順番(昇番順)にパケット♯１００まで確認する方法であると、記録済パケットが多くなる程、「読出し不可のデータ（×）」の読出しに時間がかかり、「読出し可のデータ（○）」の読出しをした後の最終記録済のパケットの確認まで、非常に時間がかかるためである。しかし、実施例２の方法(降番順)にすると、最終記録済パケットまでは、エラ−なしパケットなので、短時間で最終記録済パケットを確認できる。
【００７０】
[実施例３]
本発明の実施例３は、前述したオーバーライト後のアドレスブロック(即ち前記した「読出し不可のデータ（×）」)の読取り時間を、実施例２に対して、さらに短縮して、アクセスを高速化する手法である。
【００７１】
実施例２において、オーバーライトによるアドレスブロックの読出しに時間がかかる理由を分析すると以下の２点にあった。
▲１▼オーバーライトされた領域の大小によるエラー訂正処理時間
▲２▼「読出し不可のデータ（×）」の認知方法アルゴリズム
【００７２】
そこで実施例３では、この課題を解決するために以下の改善を行った。
▲１▼オーバーライトされる領域の縮小
▲２▼「読出し不可のデータ（×）」の認知方法の変更
である。
【００７３】
［オーバーライトされる領域の縮小について］
実施例２で述べた「ＣＤ−ＲＯＭ  ｍｏｄｅ１」フォーマットで検証すると、セクタ内のオーバーライトされる領域をエラー訂正不能が発生する必要最小限まで縮小しても、縮小しない前のおよそ１/３の時間で「読出し不可のデータ（×）」が認知できることが分かった。つまり、当該セクタ(アドレスブロック)を「読出し不可のデータ（×）」の状態にするためには、各アドレスブロックを構成する全データをエラー訂正不能にする必要はないのである。
【００７４】
また、オーバーライトする当該セクタからユーザデータを読出す走査(再生走査・追記走査)を行う場合に、光ピックアップから出射する光ビームの照射位置ずれ等が発生することがある。これが発生すると、光ビームは当該セクタ（アドレスブロック）内に照射されずに、当該セクタの前後にそれぞれ隣接する他セクタ内に誤照射されてしまう。この結果、当該セクタのユーザデータはその先頭データから順番に読出しできないために、ユーザデータの正確な読出しが行えない不都合が発生する。この不都合を解決するための一つの解決手段としては、隣接する他セクタとの境界に接する当該セクタ内の境界部分を、前記した光ビームの照射位置ずれを吸収可能な幅を有するスペース(ブランク)とすることである。これにより、光ビームの照射位置ずれが発生しても、当該セクタのユーザデータはその先頭データから順番に読出しを行うことができる。
【００７５】
ここで、当該セクタにオーバーライトする条件は、後述するアドレスブロックのセクタフォーマット(「ＣＤ−ＲＯＭ  ｍｏｄｅ２  ｆｏｒｍ２」)のエラー訂正能力に適合して、オーバーライトするデータを必要最小限の数に絞ることであり、これによって、データの読出し時間の短縮が達成できた。
【００７６】
[「読出し不可のデータ（×）」の認知方法の変更]
アドレスブロックのＣＤ−ＲＯＭフォーマット(「ＣＤ−ＲＯＭ  ｍｏｄｅ１」フォーマット構造)を、(「ＣＤ−ＲＯＭ  ｍｏｄｅ２  ｆｏｒｍ２」フォーマット構造)に変更した。さらにオーバーライト後のアドレスブロックの読出し方法もＣＤ−ＲＯＭドライブのセクタデータ読取り制御信号を“ＲＥＡＤ  ＣＤ”を用いて達成した。
【００７７】
さて、「ＣＤ−ＲＯＭ  ｍｏｄｅ２  ｆｏｒｍ２」フォーマットは、前述した「ＣＤ−ＲＯＭ  ｍｏｄｅ１」フォーマットが用いるＥＤＣ/ＥＣＣを用いずに、ＣＩＲＣ(Ｃｒｏｓｓ  Ｉｎｔｅｒｌｅａｖｅｄ  Ｒｅｅｄ−Ｓｏｌｏｍｏｎ  Ｃｏｄｅ)のみを訂正コードとして用いるものである。
「ＣＤ−ＲＯＭ  ｍｏｄｅ２  ｆｏｒｍ２」のフォーマット構造は、各セクタ当り(各アドレスブロック当り)、ヘッダ領域とデータ領域とよりなる。このヘッダ領域とデータ領域とは、「ＣＤ−ＲＯＭ  ｍｏｄｅ１」フォーマットのヘッダ領域とデータ領域とに等しい。
「ＣＤ−ＲＯＭ  ｍｏｄｅ１」フォーマットに対して、「ＣＤ−ＲＯＭ  ｍｏｄｅ２  ｆｏｒｍ２」フォーマットは、その訂正能力は低下するものの、少ないオーバーライト領域で訂正不能(「読出し不可のデータ（×）」)を認知できるものである。
【００７８】
アドレスブロックを予め、「ＣＤ−ＲＯＭ  ｍｏｄｅ２  ｆｏｒｍ２」フォーマットで記録し、ＥＦＭ信号で所定のサイズでオーバーライトし、上記“ＲＥＡＤ  ＣＤ”で読み出すと、アドレスブロックの全データは上記ＣＩＲＣによるエラー訂正の実施後、ＣＤ−ＲＯＭドライブから１セククタ単位で出力される。
【００７９】
このＣＤ−ＲＯＭドライブから１セククタ単位で出力されるアドレスブロックの全データはＣＩＲＣにてエラー訂正されてオーバーライト前の正しい値(元の値)に戻るものと、ＣＩＲＣエラー訂正能力以上のオーバーライトによる記録データの物理的変化のため、オーバーライト前の正しい値に戻らない、誤った値とが混在したものである。
【００８０】
オーバーライトしたアドレスブロックの読出しについて実施例２と実施例３とを比較する。
実施例２では、アドレスブロックのセクタフォーマットは、「ＣＤ−ＲＯＭ  ｍｏｄｅ１」フォーマットであり、これをＲＥＡＤ（１０）（ＥＤＣ/ＥＣＣ付き）で読み出すと、ＥＤＣ／ＥＣＣのエラー訂正において、エラー訂正能力以内であるとセクタデータをＣＤ−ＲＯＭドライブから出力するが、エラー訂正能力を超えた場合、セクタデータは出力せず、セクタ読取り不能のエラーメッセージを出すだけである。そして、このエラーメッセージを出すまでに、読取りのリトライや、エラー訂正の繰返しに時間がかかっていた。
【００８１】
一方、実施例３では、アドレスブロックのセクタフォーマットは、「ＣＤ−ＲＯＭ  ｍｏｄｅ２  ｆｏｒｍ２」フォーマットであり、これをＲＥＡＤ  ＣＤ（ＥＤＣ/ＥＣＣなし）で読み出すと、ＣＩＲＣ訂正後、訂正能力内の復元データも、訂正能力を超えた訂正不能データも併せて出力する。この読取り方法では、ＥＤＣ/ＥＣＣ訂正の処理時間がないために、この処理時間分だけ時間短縮を図ることができる。
【００８２】
このようなアドレスブロックのセクタデータが正誤であることを利用したものが実施例３である。実施例３でのアドレスブロックのオーバーライト前後による記録データの状況を表したものが、図１５および図１６に示すものである。
図１５、図１６に示すアドレスブロック内の「読出し可のデータ（○）」または「読出し不可のデータ（×）」は、データ＃１〜データ＃ｎ（例えばｎ＝２０４８。総データ数２０４８）で示す１セクタを構成するデータが、「ＣＤ−ＲＯＭ  ｍｏｄｅ２  ｆｏｒｍ２」フォーマットで読み出されたときの状態を示している。
【００８３】
オーバーライト前の図１５の状態では、すべてのデータ＃１〜データ＃ｎはＣＩＲＣのみのエラー訂正処理後、エラーを含まない「読出し可のデータ（○）」であり、ＣＤ−ＲＯＭドライブで誤りなく読み出せることを示している。
【００８４】
一方、オーバーライト後の図１６の状態では、ＣＩＲＣのみのエラー訂正処理後、データ＃１、データ＃４はエラーを含まない「読出し可のデータ（○）」と、データ＃２、データ＃３、データ＃５〜データ＃ｎはオーバーライト前のデータに戻すことができない、エラーを含む「読出し不可のデータ（×）」であり、「読出し可のデータ（○）」と「読出し不可のデータ（×）」とが混在する状態である。この混在状態で、データ＃１〜データ＃ｎを読み出すと、「読出し可のデータ（○）」は誤りのない正しい値で読出せるが、「読出し不可のデータ（×）」では誤りを含むため、正しい値として読出せない。
【００８５】
この読出しデータの正誤を利用して、オーバーライト前に所定の値のデータを予め「読出し可のデータ（○）」を正しい値として記録しておき、それがオーバライト後に正しい値として読出せない(所定の値のデータとは異なる値のデータとして読出せる)ことに着目し、正しい値が読出せないということをもって、「読出し不可のデータ（×）」として判定するものである。
【００８６】
また、こうしたオーバーライト前の所定の値としては、前記した所定の値と共に、必要に応じてアドレスブロックのセクタアドレス番号、エラーなし箇所の値等を併せて使うことができる。この結果、実施例３はアドレスブロックの所定のデータ領域に記録されてあるデータを正しい値または正しい値とは異なる値としてそのまま読み出すものであるから、アドレスブロック全体の領域を読取り不能として検出する実施例１、実施例２のものに較べ、その検出時間を大幅に短縮する（例えば１／１０以下）にすることができる。
【００８７】
[実施例４]
本発明の実施例４は、図１７、図１８、図１９に示すように、ＣＤ−ＲＯＭフォーマットに適合したアプリケーション情報を含む記録フォーマットの構造（１）〜（３）を示すものである。
記録フォーマットの構造（１）は、図１７に示すように、前述した実施例２の図６、図７のデータ構造に適合する具体的な応用例であり、リードイン領域、ブログラム領域（トラック＃１）、リードアウト領域から構成される。プログラム領域は、アプリケーション領域と、アドレス領域と、データ領域とから構成される。
【００８８】
アプリケーション領域は、データ領域（データ＃１〜データ＃３）に対するデータの書込み読出しを制御するアプリケーション情報のソフトウェアを記録する領域である。
アドレス領域は、前述したアドレスブロックトータル(図６、図１５、図１６)と同様なものであり、例えば図１のパケット＃１〜パケット＃３をデータ領域（データ＃１〜データ＃３）として使用する場合、各アドレスブロックの状態(データ領域使用済・未使用情報、「読出し可のデータ（○）」、「読出し不可のデータ（×）」、)を全部集中して、ここに記録する領域である（図６に対応）。
【００８９】
記録フォーマットの構造（２）は、図１８に示すように、前記した媒体のフォーマットの構造（１）(図１７)中、データ＃３とリードアウト領域との間にブランク領域を設けたものに等しい。
データ領域は、データ＃１〜データ＃３と、ブランク領域とから構成される。このブランク領域には、最終追記データ＃３とリードアウト領域の間にあって、ＥＦＭ記録情報のないブランク領域である。
このブランク領域は予めＰＷ記録しない領域と定め、この領域の大きさ、ブロックのセクタアドレス番地、および領域の有無の少なくとも１を媒体固有の識別情報とすることができる。
【００９０】
前述したように、本発明のパケット記録ではダミーブロック(図７)を備えているため、ＣＤ−ＲＯＭドライブによる最終追記データ＃３の再生時に、ブランク領域に光ピックアップから出射する光ビームが突入しないため、図１８の構造が可能となる。
【００９１】
記録フォーマットの構造（３）は、図１９に示すように、前記した媒体のフォーマットの構造（１）(図１７)中、リードアウト領域を除いたものに等しい。
この場合も、本発明のパケット記録ではダミーブロック(図７)を備えているため、ＣＤ−ＲＯＭドライブによる最終追記データ＃３の再生時に、ブランク領域に光ピックアップから出射する光ビームが突入しないため、図１９の構造が可能となる。
【００９２】
このリードアウト領域なしの情報はフォーマット構造（２）と同様に、媒体の識別情報とすることができる。
【００９３】
[実施例５]
本発明の実施例５は、図２０、図２１、図２２に示す媒体の構造（１）〜（３）であり、前述した実施例４のフォーマットを媒体に具体的に展開するための構造例である。実施例５の説明を、実施例４の図１７のディスクフォーマットの構造(１)を例にとって説明する。ここでは、詳述しないが、ディスクフォーマットの構造(図１８、図１９)とをそれぞれ用いることができることは勿論である。
【００９４】
媒体の構造（１）は、図２０に示すように、全領域(リードイン領域、プログラム領域（トラック＃１）、リードアウト領域)を、ＣＤ−Ｒ媒体で構成するものである。
【００９５】
ここで、ＣＤ−Ｒ媒体は、螺旋状のトラック溝が刻設されている基板上に、色素層、反射層、保護層を順次積層形成することにより形成され、また、この色素層は所定レベル以上のパワーを有する光ビームの照射により透過率が復元不可能なように低下する色素を塗布してなるものであることは言うまでもない。
【００９６】
前記した媒体の構造（１）を有する媒体は、リードイン領域、アプリケーション領域、リードアウト領域に予めそれぞれ必要なデータを追記することにより、下記する媒体の構造（２）(図２１)と同様の機能構造とすることができ、また、リードイン領域、リードアウト領域に予めそれぞれ必要なデータを追記することにより、下記するディスクの構造（３）(図２２)と同様の機能構造とすることができる。媒体の構造（１）は、アプリケーション領域とデータ領域のパケット記録回数、パケットサイズ等が未定のものに有効である。
【００９７】
このことから、媒体の構造（１）を有する媒体は、下記するディスクの構造（２）(図２１)、ディスクの構造（３）(図２２)と比較して、アプリケーションの容量、データ領域の数、各領域の容量に応じて全プログラム領域の容量の範囲内において各データ記録容量の区画を任意に設定できるので、最も汎用性が高く、生産工程も最も少ないものとなり、コストが低減でき、製造後の在庫管理のスペースの転でも利点がある。
【００９８】
媒体の構造（２）は、図２１に示すように、全領域(リードイン領域、アプリケーション領域とアドレス領域とデータ領域とから構成されるプログラム領域、リードアウト領域)中、リードイン領域とアプリケーション領域とリードアウト領域とをピット/ランドの物理的深さの変化で記録するＣＤ−ＲＯＭ領域とし、またアドレス領域およびデータ領域はＣＤ−Ｒ領域とするハイブリッド構造である。
このディスクの構造（２）は、予めアプリケーション領域とデータ領域のパケット記録回数、パケットサイズ等が決まったものに有効である。
【００９９】
媒体の構造（３）は、図２２に示すように、全領域(リードイン領域、アプリケーション領域とアドレス領域とデータ領域とから構成されるプログラム領域、リードアウト領域)中、リードイン領域とリードアウト領域とをＣＤ−ＲＯＭ領域とし、他のアプリケーション領域、アドレス領域、データ領域をＣＤ−Ｒ領域として構成とするハイブリッド構造である。
【０１００】
この媒体の構造（３）は、アプリケーション領域とデータ領域との各仕様が未定であるが、プログラム領域の仕様が決まっているものに有効である。
【０１０１】
上述した説明においては、パケット＃１〜パケット＃３(データ＃１〜データ＃３)を例として説明しているが、本発明はこうしたパケット数(データ数)に限定されるものでないことは言うまでもない。
【０１０２】
また、前述した本発明はＣＤ規格に準拠するＣＤ−ＲおよびハイブリッドＣＤ−Ｒで表現しているが、これに限定されるものでなく、他のディスク媒体、例えば追記型デジタル・バーサタイル・ディスク（ＤＶＤ−Ｒ）等にも応用できることは言うまでもない。
【０１０３】
【発明の効果】
以上詳述したように本発明は、ＣＤ−Ｒのパケットライティング記録方式に準拠して情報を追記する際に、パケットライティング途中のファイナライズ処理前の状態であっても、追記済のパケット情報を、ＣＤ−ＲＯＭドライブで読込み可能とする光情報記録媒体を提供することができる。
また、本発明は、一般のパソコンに付属するＣＤ−ＲＯＭドライブに装填して再生状態とすることにより、光情報記録媒体に記録されている追記済のパケット情報を直ちに読出して、その追記情報を確認ができるため、パソコンを介して読出した情報のネットワークを介して必要な部署に短時間に配信することができる。
【図面の簡単な説明】
【図１】  本発明の実施例１の対応図であり、かつ図１４に示した追記途中状態では追記済情報を読み出すことができなかった光情報記媒体をＣＤ−ＲＯＭドライバで読取り可能とする解決法を説明するための図である。
【図２】  本発明の実施例１によるパケットの新たな記録フォ−マットを示す図である。
【図３】  図２のパケットの記録フォ−マットを用いてパケット♯１を追記する第１回追記時のパケット♯１のアドレスブロックの記録状態を説明するための図である。
【図４】  図２のパケットの記録フォ−マットを用いてパケット♯２を追記する第２回追記時のパケット♯１、パケット♯２の各アドレスブロックの記録状態を説明するための図である。
【図５】  図２のパケットの記録フォ−マットを用いてパケット♯３を追記する第３回追記時のパケット♯１〜パケット♯３までの各アドレスブロックの記録状態を説明するための図である。
【図６】  本発明の実施例２の対応図であり、かつパケット♯１におけるアドレスブロックの記録状態を説明するための図である。
【図７】  本発明の実施例２の対応図であり、かつパケット♯１を除く全てのパケット♯２〜パケット♯１０１にアドレスブロックを備えていないパケットの記録フォーマットを説明するための図である。
【図８】  ＤＡＯ方式の記録フォ−マットを示す図である。
【図９】  ＳＡＯ方式の記録フォ−マットを示す図である。
【図１０】  ＴＡＯ方式の記録フォ−マットを示す図である。
【図１１】  ＰＷ方式の記録フォ−マットを示す図である。
【図１２】  ＰＷ方式に用いるパケットの記録フォ−マットを示す図である。
【図１３】  ＰＷ方式のファイナライズ処理前の追記途中の状態を説明するための図である。
【図１４】  図１３に示す追記途中状態のＣＤ−Ｒから追記情報をＣＤ−ＲＯＭドライブで読出すことができないことを説明するための図である。
【図１５】  本発明の実施例３の対応図であり、かつオーバーライト前のアドレスブロックのデータ構造を説明するための図である。
【図１６】  本発明の実施例３の対応図であり、かつオーバーライト後のアドレスブロックのデータ構造を説明するための図である。
【図１７】  本発明の実施例４の対応図であり、かつ記録フォーマットのデータ構造（１）を説明するための図である。
【図１８】  本発明の実施例４の対応図であり、かつ記録フォーマットのデータ構造（２）を説明するための図である。
【図１９】  本発明の実施例４の対応図であり、かつ記録フォーマットのデータ構造（３）を説明するための図である。
【図２０】  本発明の実施例５の対応図であり、かつ光情報記録媒体の構造例（１）を説明するための図である。
【図２１】  本発明の実施例５の対応図であり、かつ光情報記録媒体の構造例（２）を説明するための図である。
【図２２】  本発明の実施例５の対応図であり、かつ光情報記録媒体の構造例（３）を説明するための図である。
【符号の説明】
Ａ，Ｂ  領域（第１領域、第２領域）
【図１】
0003783928.tif 000002
【図２】
0003783928.tif 000003
【図３】
0003783928.tif 000004
【図４】
0003783928.tif 000005
【図５】
0003783928.tif 000006
【図６】
0003783928.tif 000007
【図７】
0003783928.tif 000008
【図８】
0003783928.tif 000009
【図９】
0003783928.tif 000010
【図１０】
0003783928.tif 000011
【図１１】
0003783928.tif 000012
【図１２】
0003783928.tif 000013
【図１３】
0003783928.tif 000014
【図１４】
0003783928.tif 000015
【図１５】
0003783928.tif 000016
【図１６】
0003783928.tif 000017
【図１７】
0003783928.tif 000018
【図１８】
0003783928.tif 000019
【図１９】
0003783928.tif 000020
【図２０】
0003783928.tif 000021
【図２１】
0003783928.tif 000022
【図２２】
0003783928.tif 000023